(57)【要約】  明るさを維持又は向上させながら、小型化が可能な投写型表示装置を提供する。  投写型表示装置（１）は、照明光学系（１０）と、当該照明光学系からの光を緑色光からなる第１の色光（Ｇ）と赤色光及び青色光からなる第２色光（ＲＢ）とに分離する第１色分離光学系（２１）と、前記第２色光を赤色光と青色光とに時分割で分離する第２色分離光学系（３０）と、前記第１色光を変調する第１液晶ユニット（５０ａ）と、前記第２色分離光学系の色分離に同期して、前記赤色光及び前記青色光を時分割で変調する第２液晶ユニット（５０ｂ）と、変調された前記第１色光及び第２色光を合成する色合成光学系（６１）と、当該色合成光学系により合成された光を投写する投写光学系（７１）とを有する。
2010125681.tif 000002
【特許請求の範囲】
【請求項１】
光源を含む照明光学系と、
前記照明光学系から射出された光を、緑色光からなる第１の色光と、赤色光および青色光からなる第２の色光とに分離する第１の色分離光学系と、
前記第１の色光の光路上に配置され、前記第１の色光を変調する第１の液晶パネルと、該第１の液晶パネルの入射側に設けられた第１の入射側偏光板と、を有する第１の液晶ユニットと、
前記第２の色光の光路上に配置された第２の色分離光学系であって、前記第２の色光の前記赤色光および青色光をそれぞれ透過させる２種類のフィルタ領域が形成されたカラーホイールで構成され、前記第２の色光を前記赤色光と前記青色光とに時分割で分離する第２の色分離光学系と、
前記第２の色光の光路上で前記第２の色分離光学系の下流に配置された第２の液晶ユニットであって、前記第２の色分離光学系の色分離に同期して、前記第２の色光の前記赤色光および青色光を時分割で変調する第２の液晶パネルと、該第２の液晶パネルの入射側に設けられた第２の入射側偏光板と、を有する第２の液晶ユニットと、
前記第１の液晶ユニットから射出された前記第１の色光と、前記第２の液晶ユニットから射出された前記第２の色光とを合成する色合成光学系と、
前記色合成光学系により合成された光を投写する投写光学系と、を有し、
前記第１の液晶ユニットが、前記第１の色光を前記第１の色分離光学系から受け入れるように配置されている投写型表示装置。
【請求項２】
前記色合成光学系が、反射型偏光板で構成され、前記第１の色光が、前記反射型偏光板を透過するようになっており、前記第２の色光が、前記反射型偏光板で反射するようになっている、請求項１に記載の投写型表示装置。
【請求項３】
前記第１または第２の入射側偏光板のいずれか一方の出射面に、λ／２波長板が設けられている、請求項２に記載の投写型表示装置。
【請求項４】
前記反射型偏光板のいずれか一方の面に、λ／２波長板が設けられている、請求項２に記載の投写型表示装置。
【請求項５】
前記第１の液晶ユニットが、前記第１の液晶パネルの出射側に設けられた第１の出射側偏光板を有し、前記第２の液晶ユニットが、前記第２の液晶パネルの出射側に設けられた第２の出射側偏光板を有し、前記色合成光学系が、前記第１の色光を透過させ、前記第２の色光を反射させるダイクロイックミラーで構成されている、請求項１に記載の投写型表示装置。
【請求項６】
前記第１の液晶ユニットが、前記第１の液晶パネルの出射側に設けられた第１の出射側偏光板を有し、前記第２の液晶ユニットが、前記第２の液晶パネルの出射側に設けられた第２の出射側偏光板を有し、前記色合成光学系が、クロスプリズムで構成され、前記第１の色光が、前記クロスプリズムを透過するようになっており、前記第２の色光が、前記クロスプリズムで反射するようになっている、請求項１に記載の投写型表示装置。
【請求項７】
前記第１または第２の出射側偏光板のいずれか一方に、λ／２波長板が設けられている、請求項６に記載の投写型表示装置。
【請求項８】
前記第１の色分離光学系が、前記第１の色光を透過させ、前記第２の色光を反射させるダイクロイックミラーで構成されている、請求項１から７のいずれか１項に記載の投写型表示装置。
【請求項９】
前記第１の色分離光学系が、前記第１の色光を反射させ、前記第２の色光を透過させるダイクロイックミラーで構成されている、請求項１から７のいずれか１項に記載の投写型表示装置。
【発明の詳細な説明】
【技術分野】
【０００１】
本発明は、投写型表示装置に関する。
【背景技術】
【０００２】
近年、プロジェクタに代表される投写型表示装置は、その利用者が増えるにつれて、蛍光灯などの照明器具が点灯している明るい場所や、打ち合わせなどが行われる比較的小規模の空間など、さまざまな環境で使用されている。そのような環境に対応できるように、プロジェクタの性能として、高輝度化および小型化・軽量化が求められている。【０００３】
図１は、液晶パネルを表示装置として使用する関連技術の投写型表示装置（液晶プロジェクタ）１０１の光学系の構成を概略的に示す配置図である。【０００４】
光源１１１を含む照明光学系１１０から照射された光は、第１のダイクロイックミラー１２１ａおよび第２のダイクロイックミラー１２１ｂによって、赤色光Ｒ、緑色光Ｇおよび青色光Ｂの３つの光に分離される。各色光Ｒ、Ｇ、Ｂは、それぞれの光路上に配置された液晶ユニット１５０ａ−１５０ｃへと入射し、各液晶ユニット１５０ａ−１５０ｃを構成する各液晶パネル１５１ａ−１５１ｃによって、画像信号に応じて変調される。変調された各色光Ｒ、Ｇ、Ｂは、クロスプリズム１６１へと射出されて、クロスプリズム１６１によって合成される。合成された光は、投写レンズ１７１へと入射し、投写レンズ１７１によってスクリーンなどに投写されて、画像として表示される。【０００５】
高輝度な液晶プロジェクタを実現するためには、照明光学系から光を取り込んで画像を形成する液晶パネルに関して、その取り込み角度を大きくすることが必要となる。すなわち、照明光学系の焦点距離に対する有効径の比を大きくすることで、光の発散を防止して、光の利用効率を向上させることが必要となる。特に、比視感度の高い緑色光の取り込み角度を大きくすることが有効である。光の取り込み角度αは、照明光学系の有効径をｄ、焦点距離をｆとして、
Ｔａｎ（α／２）＝ｄ／２ｆ
によって表すことができる。
【発明の概要】
【発明が解決しようとする課題】
【０００６】
上述のような液晶プロジェクタでは、液晶パネル等の表示装置が改良されることで、表示装置に対して光を照射する照明光学系の小型化が進んでいる。それにより、光学系全体の小型化・軽量化が行われている。【０００７】
しかしながら、照明光学系を構成する光学部品の小型化は、照明光学系の有効径ｄが小さくなることを意味し、焦点距離ｆが一定の場合、光の取り込み角度αが小さくなることを意味している。そのため、光学部品の小型化によって光学系全体を小型化しても、発散などによる光の損失につながり、光学系は以前の明るさを維持できなくなる。【０００８】
このような場合、照明光学系の焦点距離ｆとなる各色光の光路長を短くすることで、光の取り込み角度αを大きくして、明るさを維持または向上させることができる。しかしながら、上述した関連技術の液晶ディスプレイ１０１の構成では、光路上に、光路を折り曲げるための、第２のダイクロイックミラー１２１ｂや反射ミラーなどの光学部品を配置する必要がある。また、各液晶パネル１５１ａ−１５１ｃの前後には偏光板を冷却するための最低限の空間（図１における矢印Ａなど）をそれぞれ確保する必要も生じる。このような理由から、各色光Ｒ、Ｇ、Ｂの光路長は、光の取り込み角度を大きくするほどには短くすることはできない。このように、照明光学系の小型化による光学系全体の小型化は、明るさの低下を引き起こすことになるため好ましくない。【０００９】
一方で、照明光学系の小型化による明るさの低下を抑えるために、発光管自体からの発光光量を増加させる方法も考えられる。しかし、その場合、発光管を点灯させる電力の上昇を伴うことになり、ランプを安定して点灯させるための温度制御が必要となる。そのため、この温度制御を行うための冷却構造を設置しなければならず、それにより、装置は大型になってしまう。【００１０】
そこで本発明は、明るさを維持または向上させながら、装置全体として小型化を実現する投写型表示装置を提供することを目的とする。
【課題を解決するための手段】
【００１１】
上述した目的を達成するために、本発明の投写型表示装置は、光源を含む照明光学系と、照明光学系から射出された光を、緑色光からなる第１の色光と、赤色光および青色光からなる第２の色光とに分離する第１の色分離光学系と、第１の色光の光路上に配置され、第１の色光を変調する第１の液晶パネルと、第１の液晶パネルの入射側に設けられた第１の入射側偏光板と、を有する第１の液晶ユニットと、第２の色光の光路上に配置された第２の色分離光学系であって、第２の色光の赤色光および青色光をそれぞれ透過させる２種類のフィルタ領域が形成されたカラーホイールで構成され、第２の色光を赤色光と青色光とに時分割で分離する第２の色分離光学系と、第２の色光の光路上で第２の色分離光学系の下流に配置された第２の液晶ユニットであって、第２の色分離光学系の色分離に同期して、第２の色光の赤色光および青色光を時分割で変調する第２の液晶パネルと、第２の液晶パネルの入射側に設けられた第２の入射側偏光板と、を有する第２の液晶ユニットと、第１の液晶ユニットから射出された第１の色光と、第２の液晶ユニットから射出された第２の色光とを合成する色合成光学系と、色合成光学系により合成された光を投写する投写光学系と、を有し、第１の液晶ユニットが、第１の色光を第１の色分離光学系から受け入れるように配置されている。
【発明の効果】
【００１２】
本発明の投写型表示装置によれば、明るさを維持または向上させながら、装置全体として小型化を実現する投写型表示装置を提供することができる。
【図面の簡単な説明】
【００１３】
【図１】関連技術の投写型表示装置としての液晶プロジェクタの光学系の構成を概略的に示す配置図である。
【図２】本発明の第１の実施形態における投写型表示装置としての液晶プロジェクタの光学系の構成を概略的に示す配置図である。
【図３】本発明の第２の実施形態における投写型表示装置としての液晶プロジェクタの光学系の構成を概略的に示す配置図である。
【図４】本発明の第３の実施形態における投写型表示装置としての液晶プロジェクタの光学系の構成を概略的に示す配置図である。
【図５】本発明の第４の実施形態における投写型表示装置としての液晶プロジェクタの光学系の構成を概略的に示す配置図である。
【発明を実施するための形態】
【００１４】
以下、図面を参照して、本発明の投写型表示装置としての液晶プロジェクタの実施形態について説明する。
【００１５】
（第１の実施形態）
図２は、本発明の第１の実施形態における液晶プロジェクタの光学系の構成を概略的に示す配置図である。
【００１６】
本実施形態の液晶プロジェクタ１は、光源を含む照明光学系と、照明光学系から射出された光を各色光に分離する色分離光学系と、分離された各色光を画像信号に応じて変調する複数の液晶ユニットと、変調された各色光を合成して射出する光合成光学系と、合成された光を投射して表示する光投写光学系と、を有している。
【００１７】
照明光学系１０は、光源であるランプ１１と、凹レンズ１２と、第１および第２のフライアイレンズ１３、１４と、偏光変換素子１５と、第１のフィールドレンズ１６とを有している。照明光学系１０を構成する各光学要素は、図１に示す関連技術の液晶プロジェクタ１０１の場合と同じ構成を有しており、ランプ１１の光軸と同軸上に配置されている。
【００１８】
光源であるランプ１１は、超高圧水銀ランプ、キセノンランプ、メタルハライドランプなどの高圧放電ランプである。凹レンズ１２は、ランプ１１から出射した光がランプ１１の光軸とほぼ平行となるように調整するために設けられている。第１および第２のフライアイレンズ１３、１４と、第１のフィールドレンズ１６は、入射した光の照射分布を均一化して、液晶ユニットへの光の入射角度を調整するために設けられている。第２のフライアイレンズ１４と第１のフィールドレンズ１６との間に配置された偏光変換素子１５は、偏光ビームスプリッタや位相板などで構成され、光の偏光方向を所定の方向に揃える役目を果たしている。
【００１９】
色分離光学系は、第１の色分離光学系２１と、第２の色分離光学系３０とから構成されている。第１の色分離光学系２１は、ランプ１１から射出された光を、緑色光からなる第１の色光Ｇと、赤色光および青色光からなる第２の色光ＲＢとに分離する。第２の色分離光学系３０は、第１の色分離光学系２１で分離された第２の色光ＲＢを、赤色光と青色光とに時分割で分離する。本実施形態において、第１の色分離光学系２１は、ダイクロイックミラーで構成され、第２の色分離光学系３０は、カラーホイールで構成されている。
【００２０】
第１の色分離光学系であるダイクロイックミラー２１は、第１のフィールドレンズ１６の出射側に、その反射面がランプ１１の光軸に対して４５°の角度となるように配置されている。本実施形態では、ダイクロイックミラー２１は、第１の色光Ｇを透過させ、第２の色光ＲＢを反射させるように構成されている。これにより、ダイクロイックミラー２１を透過した第１の色光Ｇは、ランプ１１の光軸に沿って進行する。また、ダイクロイックミラー２１によって反射した第２の色光ＲＢは、ランプ１１の光軸、つまり第１の色光Ｇの進行方向に対して垂直な方向に進行する。第１の色分離光学系として、ダイクロイックミラー２１の代わりに、ダイクロイックミラー２１と同様の機能を有するダイクロイックプリズムを用いてもよい。
【００２１】
第１の色光Ｇの光路上には、ダイクロイックミラー２１を透過した第１の色光Ｇの進行方向の延長線上に、第１の液晶ユニット５０ａが配置されている。ダイクロイックミラー２１と第１の液晶ユニット５０ａとの間には、液晶ユニット５０ａに入射する光をテレセントリックにする第２のフィールドレンズ１７ａだけが配置されている。これにより、第１の液晶ユニット５０ａは、第１の色光Ｇをダイクロイックミラー２１から直接受け入れるようになっている。第１の液晶ユニット５０ａは、第１の色光Ｇである緑色光を変調する第１の液晶パネル５１ａと、第１の液晶パネル５１ａの入射側に設けられた第１の入射側偏光板５２ａと、を有している。
【００２２】
一方、ダイクロイックミラー２１によって分離された第２の色光ＲＢの光路上には、円板状に形成されたカラーホイール３０が回転可能に配置されている。カラーホイール３０は、第２の色光ＲＢの赤色光および青色光をそれぞれ透過させるように半円状に構成された２つのフィルタ領域３１、３２を有している。このようなカラーホイール３０が、回転駆動して、第２の色光ＲＢの赤色光および青色光を交互に透過させることで、２つの光路に分離することなく同一光路上で、第２の色光ＲＢを赤色光と青色光とに時分割で分離することが可能となる。
【００２３】
また、第２の色光ＲＢの光路上には、第２の色光ＲＢの進行方向を変更させる第１および第２の反射ミラー４１、４２と、第２の色光ＲＢと第１の色光Ｇとの光路長の差を補正するための第１および第２のリレーレンズ４３、４４と、が配置されている。第１および第２の反射ミラー４１および４２は、反射面がダイクロイックミラー２１の反射面に対して平行および垂直となるように配置されている。第２の色光ＲＢは、これらのミラーによって反射して、後述する色合成光学系で第１の色光Ｇと合成することになる。第１および第２のリレーレンズ４３、４４はそれぞれ、ダイクロイックミラー２１と第１の反射ミラー４１との間、および第１の反射ミラー４１と第２の反射ミラー４２との間に配置されている。前述のカラーホイール３０は、第２のリレーレンズ４４と第２の反射ミラー４２との間に配置されている。
【００２４】
第２の色光ＲＢの光路上のカラーホイール３０の下流側には、第２の反射ミラー４２と射出する光を平行化する第２のフィールドレンズ１７ｂとを介して、第２の液晶ユニット５０ｂが配置されている。第２の液晶ユニット５０ｂは、第２の液晶ユニット５０ｂの光軸と第１の液晶ユニット５０ａの光軸とが互いに直交するように配置されている。第２の液晶ユニット５０ｂは、カラーホイール３０の色分離に同期して、第２の色光ＲＢの赤色光および青色光を時分割で変調する第２の液晶パネル５１ｂと、第２の液晶パネル５１ｂの入射側に設けられた第２の入射側偏光板５２ｂと、を有している。
【００２５】
第１の液晶ユニット５０ａおよび第２の液晶ユニット５０ｂの各光軸が交差する領域には、第１の色光Ｇと第２の色光ＲＢとを合成する色合成光学系６１が配置されている。本実施形態において、色合成光学系６１は、各光軸に対して４５°の角度で配置された反射型偏光板６１で構成されている。第１の色光Ｇは、反射型偏光板６１を透過するようになっており、第２の色光ＲＢは、反射型偏光板６１で反射するようになっている。それにより、反射型偏光板６１が、第１の色光Ｇと第２の色光ＲＢとを合成することが可能となる。
【００２６】
反射型偏光板６１は、透過させる偏光成分以外の偏光成分を吸収によって取り除く吸収型の偏光板（本実施形態における各入射側偏光板）とは異なり、透過させる偏光成分以外の偏光成分を反射によって取り除くタイプの偏光板である。そのため、本実施形態では、第１の入射側偏光板５２ａまたは第２の入射側偏光板５２ｂのいずれか一方の出射面に、λ／２波長板（図示せず）が設けられている。これにより、第１の色光Ｇと第２の色光ＲＢとは、偏光方向が互いに異なる状態で各液晶ユニット５０ａ、５０ｂから射出され、その後、反射型偏光板６１へと入射することになる。こうして、第１の色光Ｇは、反射型偏光板６１を透過することができ、第２の色光ＲＢは、反射型偏光板６１で反射することができる。
【００２７】
ここで、第１の色光Ｇおよび第２の色光ＲＢの偏光方向は、反射側偏光板６１に入射する際に互いに異なっていればよい。そのため、λ／２波長板は、第１の色光Ｇの光路上、または第２の色光ＲＢの光路上のいずれか一方に設けられていればよく、反射型偏光板６１のいずれか一方の面に設けられていてもよい。さらには、λ／２波長板を設ける代わりに、第１の液晶ユニット５０ａまたは第２の液晶ユニット５０ｂのどちらか一方が、入射した光を反転して射出するようになっていてもよい。
【００２８】
反射型偏光板６１により合成された光を投写する投写光学系である投写レンズ７１が、レンズ１１の光軸と同軸上に配置されている。
【００２９】
以下に、本実施形態の液晶プロジェクタ１で画像が投写される動作について簡単に説明する。
【００３０】
超高圧水銀ランプ、キセノンランプ、メタルハライドランプなどからなるランプ１１から射出された光は、凹レンズ１２で進行方向が調整され、その後、第１および第２のフライアイレンズ１３、１４に入射される。光は、第１および第２のフライアイレンズ１３、１４で照射分布が均一化され、偏光変換素子１５で偏光方向が揃えられる。こうして、照射分布が均一化され直線偏光となった光は、第１のフィールドレンズ１６で集光されて、第１のフィールドレンズ１６から射出される。
【００３１】
第１のフィールドレンズ１６から射出された光は、ダイクロイックミラー２１へと入射する。入射した光は、ダイクロイックミラー２１で、第１の色光Ｇである緑色光と、それ以外の第２の色光ＲＢとに分離される。
【００３２】
第１の色光Ｇである緑色光は、ダイクロイックミラー２１を透過して、ランプ１１の光軸上に第２のフィールドレンズ１７ａを介して配置された第１の液晶ユニット５０ａへと入射する。第１の液晶ユニット５０ａで、画像信号に応じて変調された緑色光Ｇは、反射型偏光板６１へ送られる。
【００３３】
一方、緑色光以外の第２の色光ＲＢは、ダイクロイックミラー２１で反射して、カラーホイール３０へと入射する。そのとき、第２の色光ＲＢは、リレーレンズ４３、４４によって緑色光からなる第１の色光Ｇとの光路長差を補正される。第２の色光ＲＢは、カラーホイール３０において時分割で赤色光および青色光に分離されて、第２の反射ミラー４２および第２のフィールドレンズ１７ｂを介して、第２の液晶ユニット５０ｂへと送られる。第２の液晶ユニット５０ｂによって、カラーホイール３０の色分離に同期して変調された第２の色光ＲＢは、反射型偏光板６１へと射出される。
【００３４】
第１の色光Ｇおよび第２の色光ＲＢは、第１の入射側偏光板５２ａまたは第２の入射側偏光板５２ｂのいずれか一方の出射面に設けられたλ／２波長板によって、互いに偏光方向が異なっている。これにより、反射型偏光板６１に入射した第１の色光Ｇおよび第２の色光ＲＢは、反射型偏光板６１で合成される。こうして合成された光は、投写レンズ７１に入射し、投写レンズ７１によってスクリーンなどに投写されて、画像として表示される。
【００３５】
上述のように、本実施形態の液晶プロジェクタ１では、第２の色光ＲＢの色分離のための第２の色分離光学系として、カラーホイール３０が用いられている。このカラーホイール３０と、カラーホイール３０に同期して動作する第２の液晶パネル５１ｂとにより、赤色光および青色光からなる第２の色光ＲＢは、光路を増やすことなく、１つの光路上での色分離と画像形成とが可能となる。そのため、本実施形態の液晶プロジェクタ１は、関連技術の液晶プロジェクタ１０１と比べて、液晶ユニットおよび色光の光路をそれぞれ２つに減らすことができる。つまり、光路が減ることによって、光学系を構成する光学部品の数を減らすことができる。したがって、液晶プロジェクタを小型化することが可能となる。また、このことは、小型化された光学部品を新たに調達する必要がなく、関連技術の液晶プロジェクタと同じ部品を流用することで小型化を実現できるため、コスト面からも好ましい。
【００３６】
また、本実施形態では、光路が減ることで、緑色光からなる第１の色光Ｇに関して、ダイクロイックミラー２１と第１の液晶ユニット５０ａとの間に、関連技術における第２のダイクロイックミラー１２１ｂのような光学部品を配置する必要がなくなる。そのため、第１の液晶ユニット５０ａを、ダイクロイックミラー２１から第１の色光Ｇを直接受け入れるように配置することができる。したがって、比視感度の高い緑色光Ｇにおける、ダイクロイックミラー２１から第１の液晶パネル５１ａまでの光路長（図２におけるＣＤＦ）を、関連技術の場合（図１におけるＣＤＥＦ）と比べて、大幅に短くすることができる。このように、光学部品を小型化することなく、その有効径を維持したまま、緑色光の焦点距離を短くすることが可能となり、したがって、緑色光の取り込み角度を大きくすることが可能となる。つまり、比視感度の高い緑色光の利用効率を向上させることで、液晶プロジェクタの高輝度化を実現することが可能となる。
【００３７】
また、本実施形態の液晶プロジェクタ１における別の利点として、関連技術の液晶プロジェクタ１０１で使用されていた吸収型の出射側偏光板を使用しないことが挙げられる。
【００３８】
吸収型の偏光板は、一般的に有機物からなり、液晶パネルで表示させない領域の光を吸収する役割を果たしている。そのため、このような偏光板は、吸収した光によって発熱し、その発熱は、性能の劣化を引き起こすことになる。したがって、長期にわたって使用する場合、吸収型の偏光板の交換作業が必要となる。一方、本実施形態の液晶プロジェクタ１で用いている反射型偏光板６１は、無機物で構成され、その機能上、光を吸収することはほとんどない。そのため、長期にわたる使用でも反射型偏光板６１の交換作業が伴うことはなく、メンテナンス性の高い液晶プロジェクタを提供することができる。
【００３９】
（第２の実施形態）
図３は、本発明の第２の実施形態における液晶プロジェクタの光学系の構成を概略的に示す配置図である。なお、図３に示す本実施形態において、図２に示す第１の実施形態と同じ構成要素には同じ参照番号を付し、その説明は省略する。
【００４０】
本実施形態では、液晶プロジェクタ１を構成する各構成要素については、第１の実施形態と同様である。それに対して、本実施形態の異なる点は、第１の色分離光学系であるダイクロイックミラーの機能である。すなわち、本実施形態のダイクロイックミラー２２は、緑色光からなる第１の色光Ｇを反射させ、赤色光および青色光からなる第２の色光ＲＢを透過させるようになっている。したがって、本実施形態と第１の実施形態とでは、図２と図３との比較からもわかるように、幾何学的な配置だけが異なっている。照明光学系１０を除いて、本実施形態と第１の実施形態の液晶プロジェクタは、ダイクロイックミラーに関して鏡面対称の関係となっている。これにより、本実施形態では、投写レンズ７１が照明光学系１０の光軸と同軸上に配置されている第１の実施形態に対して、投写レンズ７１を照明光学系１０の光軸に対して垂直に配置することができる。こうして、より多様な形状の液晶プロジェクタを提供することができる。
【００４１】
（第３の実施形態）
図４は、本発明の第３の実施形態における液晶プロジェクタの光学系の構成を概略的に示す配置図である。なお、図４に示す本実施形態において、上述した各実施形態と同じ構成要素には同じ参照番号を付し、その説明は省略する。
【００４２】
本実施形態では、第１の液晶ユニット５０ａが、第１の液晶パネル５１ａの出射側に設けられた第１の出射側偏光板５３ａを有し、第２の液晶ユニット５０ｂが、第２の液晶パネル５１ｂの出射側に設けられた第２の出射側偏光板５３ｂを有している。つまり、本実施形態における各液晶ユニット５０ａ、５０ｂは、図１に示す関連技術の場合と同じ構成を有している。また、色合成光学系として、第１の実施形態の反射型偏光板６１の代わりに、緑色光からなる第１の色光Ｇを透過させ、赤色光および青色光からなる第２の色光ＲＢを反射させるダイクロイックミラー６２が用いられている。このダイクロイックミラー６２は、第１の色分離光学系としてのダイクロイックミラー２１と同じ機能を有している。さらに、本実施形態では、第１の色光Ｇおよび第２の色光ＲＢの合成をダイクロイックミラー６２で行うため、第１の色光Ｇおよび第２の色光ＲＢは、偏光方向が互いに異なっている必要がない。そのため、第１の実施形態で用いていたλ／２波長板は不要となる。このように、本実施形態の液晶プロジェクタ１は、上記の実施形態と比べて、より多くの既存の光学部品を用いて構成できるため、コスト面で有利となる。
【００４３】
また、本実施形態においても、本実施形態のダイクロイックミラー２１の代わりに、第２の実施形態の場合と同様な、機能の異なるダイクロイックミラーを用いて、投写レンズからの光の投写方向を変更することができる。
【００４４】
（第４の実施形態）
図５は、本発明の第４の実施形態における液晶プロジェクタの光学系の構成を概略的に示す配置図である。なお、図５に示す本実施形態において、上述した各実施形態と同じ構成要素には同じ参照番号を付し、その説明は省略する。
【００４５】
本実施形態では、色合成光学系として、第３の実施形態のダイクロイックミラー６２に代えて、クロスプリズム６３が用いられている。この場合、第１の出射側偏光板５３ａまたは第２の出射側偏光板５３ｂのいずれか一方に、λ／２波長板（図示せず）が設けられている。これにより、第１の色光Ｇがクロスプリズム６３を透過して、第２の色光ＲＢがクロスプリズム６３で反射することが可能となり、クロスプリズム６３において光の合成が可能となる。もちろん、これ以外の方法で、第１の色光Ｇと、第２の色光ＲＢとの偏光方向を異なるようにすることも可能である。
【００４６】
また、本実施形態においても、本実施形態のダイクロイックミラー２１の代わりに、第２の実施形態の場合と同様な、機能の異なるダイクロイックミラーを用いて、投写レンズからの光の投写方向を変更することができる。
【００４７】
以上、実施形態を参照して本願発明を説明したが、本願発明は上記実施形態に限定されものではない。本願発明の構成や詳細には、本願発明のスコープ内で当業者が理解し得る様々な変更をすることができる。
【符号の説明】
【００４８】
１  液晶プロジェクタ
１０  照明光学系
１１  ランプ
２１、２２、６２  ダイクロイックミラー
３０  カラーホイール
３１、３２  フィルタ領域
５０ａ、５０ｂ  液晶ユニット
５１ａ、５１ｂ  液晶パネル
５２ａ、５２ｂ  入射側偏光板
５３ａ、５３ｂ  出射側偏光板
６１  反射型偏光板
６３  クロスプリズム
７１  投写レンズ
Ｇ  第１の色光
ＲＢ  第２の色光
【図１】
2010125681.tif 000003
【図２】
2010125681.tif 000004
【図３】
2010125681.tif 000005
【図４】
2010125681.tif 000006
【図５】
2010125681.tif 000007
【国際調査報告】
2010125681.tif 000008
2010125681.tif 000009
2010125681.tif 000010
2010125681.tif 000011
2010125681.tif 000012